(57)【要約】【課題】表示部を挟んで対面する使用者に対して、表示部の表示の視認性、とくに文字の可読性を向上させるとともに、表示部を挟んでのコミュニケーションが容易となるシースルー型両面表示装置を提供する。【解決手段】表示装置（１０）は、表示部（２１）の画面を表裏両方から視認でき、表示面の向こう側が透けて見える構造である。画面表示の位置と範囲を指示する操作を含む操作入力部（２２）と、操作入力部（２２）の信号を検知して入力処理を制御する操作入力処理部（２３）と、入力された前記画面表示の位置と範囲に従って、表示部（２１）に前記画面を配置する画面配置部（２６）と、前記画面に合わせて正転表示画面には正転表示画像、反転表示画面にはミラー反転表示画像を生成する画像生成部（２７）と、表示部（２１）に対して生成された画像を表示するように制御する表示制御部（２５）とを備える。【選択図】図２
2015194641.tif 000002
【特許請求の範囲】
【請求項１】
表示部の画面を表裏両方から視認でき、表示面の向こう側が透けて見えるシースルー型両面表示装置であって、
表裏の画面表示の位置と範囲を指示する操作を含む操作入力部と、
前記操作入力部の信号を検知して入力処理を制御する操作入力処理部と、
入力された前記画面表示の位置と範囲に従って、前記表示部に正転表示画面と反転表示画面を配置する画面配置部と、
設定された前記画面に合わせて、正転表示画面には正転表示画像、反転表示画面にはミラー反転表示画像を生成する画像生成部と、
前記表示部に対して、生成された画像を表示するように制御する表示制御部と、
を備えることを特徴とするシースルー型両面表示装置。
【請求項２】
前記操作入力部は、前記表示部を前記正転表示画面と前記反転表示画面とで分割する境を示すポインタであり、
前記画面配置部は、前記ポインタの示す位置を前記正転表示画面と前記反転表示画面の境として各画面の位置と範囲を設定することを特徴とする請求項１に記載のシースルー型両面表示装置。
【請求項３】
前記操作入力部は、前記表示部の端部に配置され、サブ操作入力エリアとして形成されたサブ表示部とタッチパネルであり、
前記画像生成部は、前記サブ表示部に前記ポインタを生成することを特徴とする請求項２に記載のシースルー型両面表示装置。
【請求項４】
前記操作入力部は、装置天面あるいは側面に配置され、サブ操作入力エリアとして形成されたサブ表示部とタッチパネルであり、
前記画像生成部は、前記サブ表示部に前記ポインタを生成することを特徴とする請求項２に記載のシースルー型両面表示装置。
【請求項５】
前記操作入力部は、前記正転表示画面と前記反転表示画面の有／無を切り替えるスイッチであることを特徴とする請求項１から４のいずれかに記載のシースルー型両面表示装置。
【請求項６】
前記操作入力部は、前記画面の正転表示と反転表示を切り替えるスイッチであることを特徴とする請求項１から５のいずれかに記載のシースルー型両面表示装置。
【請求項７】
前記操作入力部は、前記表示部の全面に配置されたタッチパネルであり、
前記操作入力処理部は、前記操作入力部で入力された位置を、入力された表示画面の座標とそれに対応する前記タッチパネルの座標を対応させて検出することを特徴とする請求項１から６のいずれかに記載のシースルー型両面表示装置。
【請求項８】
前記操作入力処理部は、複数の表示画面の中から入力を受け付ける有効入力エリアを１つに決定し、他の表示画面のエリアからの入力を受け付けないことを特徴とする請求項７に記載のシースルー型両面表示装置。
【請求項９】
前記画像生成部は、前記有効入力エリアの表示画面を他の表示画面の表示と異なるものとすることを特徴とする請求項８に記載のシースルー型両面表示装置。
【請求項１０】
前記画面配置部は、正転表示画面内に反転表示画面、あるいは反転表示画面内に正転表示画面、をピクチャーインピクチャーで混在表示することを特徴とする請求項１に記載のシースルー型両面表示装置。
【請求項１１】
前記操作入力部は、ピンチイン／ピンチアウト操作を検出し、
前記操作入力処理部は、正転表示画面あるいは反転表示画面に対してピンチイン操作を行った場合はその画面の表示をやめ、正転表示画面あるいは反転表示画面内でピンチアウト操作を行った場合は、操作を行った画面内にピクチャーインピクチャーで画面を開くことを特徴とする請求項１０に記載のシースルー型両面表示装置。
【請求項１２】
前記操作入力処理部は、ピクチャーインピクチャーの画面に対してピンチアウトの操作を行った場合は、その画面を拡大することを特徴とする請求項１１に記載のシースルー型両面表示装置。
【発明の詳細な説明】
【技術分野】
【０００１】
本発明は、表示部を表裏両方から視認でき、表示面の向こう側が透けて見えるシースルー型両面表示装置に関連する。
【背景技術】
【０００２】
近年、表示部を表裏両方から視認できる表示装置が登場している。この表示装置は、液晶や有機ＥＬなどの表示パネルを用いて、表示部の表面側と裏面側にいる人が対面して操作が可能となる。
【０００３】
たとえば、特許文献１には、「２台のディスプレイの背面を重ね合わせて組み合わせて、表裏両面から同じデジタル画像情報を表示する両面液晶ディスプレイ装置」が開示されている。
【０００４】
また特許文献２には、「表示部の前面側にいる人と後面側にいる人とが、表示部の表示を見ながら対面してコミュニケーションできる透明ディスプレイ装置」が開示されている。
【先行技術文献】
【特許文献】
【０００５】
【特許文献１】特開２０００−７５８１５号公報
【特許文献２】特開２０１３−５８４０６号公報
【発明の概要】
【発明が解決しようとする課題】
【０００６】
しかし、特許文献１においては、使用されている表示装置は不透明の表示装置であり、表示装置の向こう側を見ることができない。表示装置を挟んで表裏に使用者がおり、表示部の表示を見ながら対面してコミュニケーションをとる場合、特に表示装置が大画面化するにつれて、表示装置が邪魔となり、コミュニケーションが阻害されるという問題があった。
【０００７】
また、特許文献２においては、透明ディスプレイの技術が開示されているが、ディスプレイの一方に正規の画面を表示させた場合、他方からディスプレイを見た際に表示が左右反転してしまい、文字の可読性など視認性が悪くなるという問題があった。
【０００８】
本発明は、上記従来の課題を解決するもので、表示部を挟んで対面する使用者に対して、表示部の表示の視認性、とくに文字の可読性を向上させるとともに、表示部を挟んでのコミュニケーションが容易となるシースルー型両面表示装置を提供することを目的とする。
【課題を解決するための手段】
【０００９】
本発明は、表示部の画面を表裏両方から視認でき、表示面の向こう側が透けて見えるシースルー型両面表示装置であって、表裏の画面表示の位置と範囲を指示する操作を含む操作入力部と、前記操作入力部の信号を検知して入力処理を制御する操作入力処理部と、入力された前記画面表示の位置と範囲に従って、前記表示部に正転表示画面と反転表示画面を配置する画面配置部と、設定された前記画面に合わせて、正転表示画面には正転表示画像、反転表示画面にはミラー反転表示画像を生成する画像生成部と、前記表示部に対して、生成された画像を表示するように制御する表示制御部と、を備えることを特徴とするものである。
【００１０】
また、前記操作入力部は、前記表示部を前記正転表示画面と前記反転表示画面とで分割する境を示すポインタであり、前記画面配置部は、前記ポインタの示す位置を前記正転表示画面と前記反転表示画面の境として各画面の位置と範囲を設定してもよい。
【００１１】
このとき、前記操作入力部は、前記表示部の端部に配置され、サブ操作入力エリアとして形成されたサブ表示部とタッチパネルであり、前記画像生成部は、前記サブ表示部に前記ポインタを生成してもよい。
また、前記操作入力部は、装置天面あるいは側面に配置され、サブ操作入力エリアとして形成されたサブ表示部とタッチパネルであり、前記画像生成部は、前記サブ表示部に前記ポインタを生成してもよい。
【００１２】
また、前記操作入力部は、前記正転表示画面と前記反転表示画面の有／無を切り替えるスイッチであることを特徴とする。
【００１３】
また、前記操作入力部は、前記画面の正転表示と反転表示を切り替えるスイッチであることを特徴とする。
【００１４】
また、前記操作入力部は、前記表示部の全面に配置されたタッチパネルであり、前記操作入力処理部は、前記操作入力部で入力された位置を、入力された表示画面の座標とそれに対応する前記タッチパネルの座標を対応させて検出することを特徴とする。
ここで、前記操作入力処理部は、複数の表示画面の中から入力を受け付ける有効入力エリアを１つに決定し、他の表示画面のエリアからの入力を受け付けない。
また、前記画像生成部は、前記有効入力エリアの表示画面を他の表示画面の表示と異なるものとする。
【００１５】
また、前記画面配置部は、正転表示画面内に反転表示画面、あるいは反転表示画面内に正転表示画面、をピクチャーインピクチャーで混在表示することを特徴とする。
また、前記操作入力処理部は、ピンチイン／ピンチアウト操作を検出し、前記操作入力処理部は、正転表示画面あるいは反転表示画面に対してピンチイン操作を行った場合はその画面の表示をやめ、正転表示画面あるいは反転表示画面内でピンチアウト操作を行った場合は、操作を行った画面内にピクチャーインピクチャーで画面を開くことを特徴とする。
さらに、前記操作入力部は、ピクチャーインピクチャーの画面に対してピンチアウトの操作を行った場合は、その画面を拡大することを特徴とする。
【発明の効果】
【００１６】
本発明によれば、シースルー型両面表示装置において、表示部に複数の画面を表示させ、表示画像を正転表示とミラー反転表示を表示することで、表示部の両側の面の視認性、特に文字の可読性を向上させることができる。また、表示部を挟んで対面している使用者は、お互いに相手の見ている画像も確認できるし、コミュニケーションが容易となる。
【図面の簡単な説明】
【００１７】
【図１】本発明のシースルー型両面表示装置を概略的に示す図である。
【図２】本発明のシースルー型両面表示装置の一例を示すブロック図である。
【図３】本発明のシースルー型両面表示装置の表示処理を示すフローチャートである。
【図４】第１実施形態におけるシースルー型両面表示装置の表示例を示す図である。
【図５】第１実施形態におけるシースルー型両面表示装置において、ポインタを右側にスワイプしたときの表示例を示す図である。
【図６】第１実施形態においてポインタを右端までスワイプしたときの表示例を示す図である。
【図７】第１実施形態においてポインタを左端までスワイプしたときの表示例を示す図である。
【図８】第１実施形態においてポインタを再び中央に戻したときの表示例を示す図である。
【図９】第２実施形態におけるシースルー型両面表示装置を示す図である。
【図１０】第３実施形態におけるシースルー型両面表示装置の例を示す図である。
【図１１】第４実施形態におけるシースルー型両面表示装置の例を示す図である。
【図１２】第４実施形態におけるシースルー型両面表示装置の操作入力位置を示す図である。
【図１３】第５実施形態におけるシースルー型両面表示装置の例を示す図である。
【図１４】第６実施形態におけるシースルー型両面表示装置の表示を示す図である。
【図１５】第７実施形態におけるシースルー型両面表示装置の表示を示す図である。
【図１６】第７実施形態におけるシースルー型両面表示装置の表示を示す図である。
【図１７】第７実施形態におけるシースルー型両面表示装置において、表示された小画面をピンチイン操作することで、小画面を消去する図である。
【図１８】第７実施形態におけるシースルー型両面表示装置において、表示された小画面をさらにピンチアウト操作による様々の表示形態を示す図である。
【発明を実施するための形態】
【００１８】
以下、本発明の実施の形態を添付図面を参照して説明する。
【００１９】
図１は、本発明のシースルー型両面表示装置を概略的に示す図である。
本発明に係るシースルー型両面表示装置１０は、図１に示されるように、表示装置１０の両側の面から使用される。表示装置１０の表示部２１においては、シースルー型液晶ディスプレイやシースルー型有機ＥＬディスプレイが用いられており、画面の向こう側が透けて見える。そして表示装置１０の両側の面から画面を見ることが可能である。また、表示装置１０の表示部２１の両面にはタッチパネルが装着してあり、使用者１５，１６が表示部２１を挟んで対面しながら両側からタッチ操作が可能となっている。なお、キーボードやマウスによって、対面する使用者がそれぞれ操作入力を行ってもよい。
【００２０】
本発明では、表示部２１上に複数の画面を表示させ、同じ画像が正転表示とミラー反転表示としてそれぞれ表示される。この表示方法によって、表示装置１０のどちらの面からでも画像を見たり文字を読んだりすることが可能となる。たとえば図１では、犬の画像と「いぬ」という文字が表示される。そして、正転表示画面１２には正転表示画像が表示され、反転表示画面１３にはミラー反転画像が表示される。使用者１５は正転表示画面１２を見ることで、使用者１６は反転表示画面１３を見ることで、それぞれ画像や文字を見やすくなる。
【００２１】
図２は、本発明のシースルー型両面表示装置の一例を示すブロック図である。
シースルー型両面表示装置１０は、表示部２１と、操作入力部２２と、操作入力処理部２３と、画像処理部２４と、表示制御部２５とを備える。
【００２２】
表示部２１は、前述のように、シースルー型液晶ディスプレイやシースルー型有機ＥＬディスプレイが用いられて、画面の向こう側が透けて見える構造である。そして、正転表示画像を表示する正転表示画面と、ミラー反転表示画像を表示する反転表示画面を同時に表示することで、使用者が表示部２１を挟んで両側からそれぞれにとって見やすい画面を見ることが可能となる。
【００２３】
操作入力部２２は、使用者が指示等を操作入力するものであり、たとえば、表示部２１上に設けられたタッチパネルや、表示部２１の側面などに設けられたスイッチなどである。特に、画面の設定の入力を行うことも可能である。例えば、正転表示画面のみ、反転表示画面のみ、あるいは正転表示画面と反転表示画面の両方の画面を表示させるなどの設定入力を行う。正転表示画面と反転表示画面の両方の画面を表示させる場合は、画面の位置と範囲を使用者が入力設定できる。
【００２４】
操作入力処理部２３は、操作入力部２２の入力信号を処理して、どの位置に入力があり、それがどのような入力であったかなどを検知して各部に指示信号を出力する。
【００２５】
画像処理部２４は、画面配置部２６と、画像生成部２７とを備える。
画面配置部２６は、操作入力処理部２３の画面範囲の指定（位置と範囲）に基づいて、正転表示画面や反転表示画面を配置する。
画像生成部２７は、入力された画像データに基づいて、正転表示画面には正転表示画像を生成し、また反転表示画面にはミラー反転表示画像を生成する。
【００２６】
表示制御部２５は、画像処理部２４による処理データに基づいて、表示部２１に画像が表示されるように制御する。
【００２７】
図３は、本発明のシースルー型両面表示装置の表示処理を示すフローチャートである。
表示装置１０には表示すべき画像データが入力される（ステップＳ１）。入力画像データは、画像処理部２４に入力される。操作入力処理部２３は、操作入力部２２の入力信号が入ってくるのを確認して、それが画面の設定の指示であるかを確認する（ステップＳ２）。画面指示がなければ、デフォルト設定あるいは前回の画面設定とする（ステップＳ３）。画面設定指示があれば、画像処理部２４の画面配置部２６は、正転表示画面や反転表示画面の表示範囲と位置の指示に基づいて、画面を配置する（ステップＳ４）。
【００２８】
画像処理部２４の画像生成部２７は、表示画面が正転表示画面のみで、表示画像は正転表示のみかを確認する（ステップＳ５）。正転表示のみの場合、画像生成部２７は、入力画像データに基づいて、表示する正転画像を生成し（ステップＳ６）、表示制御部２５は表示部２１の正転表示画面に正転画像を表示させる（ステップＳ７）。
【００２９】
ステップＳ５において正転表示のみではない場合、表示画面が反転表示画面のみで、表示画像は反転表示のみかを確認する（ステップＳ８）。反転表示のみの場合、画像生成部２７は、入力画像データに基づいて、表示するミラー反転画像を生成し（ステップＳ９）、表示制御部２５は表示部２１の反転表示画面に反転画像を表示させる（ステップＳ１０）。
【００３０】
ステップＳ８において、反転表示のみではない場合、表示画面は正転表示画面と反転表示画面であるので、画像生成部２７は、表示画像を設定された各画面に応じて生成する（ステップＳ１１）。すなわち、正転表示画面１２には正転画像、反転表示画面１３には、ミラー反転画像を生成する。表示制御部２５は、表示部２１の各画面にこれら画像を表示させる（ステップＳ１２）。
【００３１】
次に、この表示装置１０の両面表示する動作における各実施形態について説明する。
【００３２】
＜第１実施形態＞
図４は、第１実施形態におけるシースルー型両面表示装置の表示例を示す図である。図５は、第１実施形態におけるシースルー型両面表示装置において、ポインタを右側にスワイプしたときの表示例を示す図である。
【００３３】
このシースルー型両面表示装置１０ａの表示部２１の下方の端部に、正転表示画面１２と反転表示画面１３の範囲を入力するサブ操作入力エリア３１を横方向に帯状に形成する。このサブ操作入力エリア３１が操作入力部２２である。帯状のサブ操作入力エリア３１の上に、正転表示画面１２と反転表示画面１３は、左右に配置されて表示されている。表示部２１の全面にはタッチパネルが設置されており、使用者が画像を見ながらタッチ入力が可能となっている。
【００３４】
このサブ操作入力エリア３１は、表示部２１の下端部をサブ表示部として使用して、同時にタッチパネルも利用するものである。しかし、表示部２１とは別にサブ操作入力エリア３１として、サブ表示部とサブタッチパネルを設置する構造でも構わない。
【００３５】
サブ操作入力エリア３１には、ポインタ３２を表示し、使用者がこのポインタ３２を左右にスワイプすることにより、正転表示画面１２と反転表示画面１３の範囲を変更できる。図４においては、ポインタ３２は、中央部分にあるので、正転表示画面１２と反転表示画面１３は同じ大きさである。
【００３６】
なお、図４、図５ではポインタ３２は三角形であるが、これに限るわけではなく、正転表示画面１２と反転表示画面１３の境を表示できるものであればよく、線や矢印などでも構わない。
【００３７】
たとえば、ポインタ３２を、図４に示す中央部から図５に示す右側にスワイプすると、ポインタ３２の示す位置を正転表示画面１２と反転表示画面１３の境として、縦横比固定で正転表示画面１２は拡大し、反転表示画面１３は縮小する。また、逆に、ポインタ３２を、中央部から左側にスワイプすると、正転表示画面１２は縮小し、反転表示画面１３は拡大する（図示せず）。
【００３８】
図６は、第１実施形態においてポインタを右端までスワイプしたときの表示例を示す図である。また、図７は、第１実施形態においてポインタを左端までスワイプしたときの表示例を示す図である。図８は、第１実施形態においてポインタを再び中央に戻したときの表示例を示す図である。
【００３９】
図６に示すように、ポインタ３２を右端までスワイプすると、正転表示画面１２のみが表示部２１の全画面に最大表示で表示される。また、図７に示すように、ポインタ３２を左端までスワイプすると、反転表示画面１３のみが表示部２１の全画面に最大表示で表示される。さらに右端にあるポインタ３２を中央部にスワイプさせると、図８に示すように、左側に反転表示画面１３、右側に正転表示画面１２が同じ大きさで配置される。
【００４０】
こうして、表示部２１を挟んで対面する使用者が、それぞれ表裏両方から画像をみることができ、視認性、特に文字の可読性を向上させることができる。従って、一つの表示装置によって、複数の使用者が一度に表裏両面を利用できて効率的であり、更に使用者同士が相手の表示画像も確認できて対面しながらコミュニケーションを取ることもできる。
【００４１】
さらに帯状のサブ操作入力エリア３１を用いてスワイプ操作により、正転表示画面と反転表示画面のサイズを指示できるので、使用者が画面の位置やサイズを確認しながら直感的に操作することができる。
【００４２】
ここで、サブ操作入力エリア３１の表示部分はシースルー型表示装置であってもよいし、シースルー型ではない表示装置であってもよい。なお、シースルー型表示装置ではない場合は、表面側と裏面側にサブ操作入力エリア３１を形成するタッチパネル付表示装置をそれぞれ設置し、画像生成部２７において、サブ操作入力エリア３１の画像を、表面側と裏面側に対応するように生成する。
【００４３】
＜第２実施形態＞
図９は、第２実施形態におけるシースルー型両面表示装置を示す図である。これは、表示装置１０ｂの天面にポインタ３２を配置している。これは、第１実施形態と同じく表示部分とタッチスイッチからなるサブ操作入力エリア３１を配置した構造である。なお、サブ操作入力エリア３１の表示部分はシースルー型表示装置である必要はない。
なお、このサブ操作入力エリア３１は、側面に配置しても良い。
【００４４】
第１実施形態のようにサブ操作入力エリア３１を表示部２１の表裏両面に形成すると、両面の使用者が同時にサブ入力装置を使用した際、入力の競合が発生してしまう。また、サブ操作入力エリア３１を片方の面にのみ形成すれば、結局、操作が一方の使用者に限られて、使い勝手が悪い。図９の構造では、サブ操作入力エリア３１が天面にあるため、表示部２１の表裏両面の使用者がサブ操作入力エリア３１を共有できて、どちらの面からも画面操作ができ、かつ一つのサブ操作入力エリアを使用するので、使用者同士の画面操作の競合が起こらないという利点がある。
【００４５】
＜第３実施形態＞
図１０は、第３実施形態におけるシースルー型両面表示装置の例を示す図である。この表示装置１０ｃには、正転表示画面と反転表示画面を設定操作するためのスイッチ４１が設けられている。スイッチ４１は、表示装置１０ｃの側面、もしくは天面に配置される。また、スイッチ４１の近傍の表示部２１の表面側と裏面側には、それぞれ目盛４２と目盛４３を設けており、目盛の機能表示は互いに左右反転して表示させている。
【００４６】
「あ」という正転表示文字は正転表示画面を意味し、「あ」のミラー反転文字は反転表示画面を意味する。従って、目盛における「あ」の正転表示文字のみは、画面が正転表示画面のみであることを意味し、「あ」の反転表示文字のみは、画面が反転表示画面のみであることを意味する。また、「あ」の正転表示文字と反転表示文字が並べて表示されているのは、この配置で正転表示画面と反転表示画面が配置されることを意味する。
【００４７】
このような構造にすることで、表示部２１の表裏両面の使用者がスイッチ４１を共有できるため、どちらの面からも画面操作ができ、かつ一つのスイッチ４１を使用するので、使用者同士の画面操作の競合が起こらないという利点がある。
【００４８】
＜第４実施形態＞
図１１は、第４実施形態におけるシースルー型両面表示装置の例を示す図である。この表示装置１０ｄは、表示部２１の表裏両面にタッチパネル５１ａ，５１ｂを備えている。タッチパネル５１ａ，５１ｂの入力エリアは、各表示画面１２，１３と連動している。すなわち、正転表示画面１２に対応するタッチパネル５１ａの入力エリアは、正転表示画面入力エリア５２である。また、反転表示画面１３に対応するタッチパネル５１ｂの入力エリアは、反転表示画面入力エリア５３である。
【００４９】
表示装置１０ｄの操作入力処理部２３は、表示画面の画像位置とそれに対応するタッチパネルの入力エリアを対応させて、入力位置の座標を検出する。つまり、操作入力処理部２３は、操作入力部２２で入力された位置を、入力された表示画面の座標とそれに対応するタッチパネルの座標を対応させて検出する。図１２は、入力位置の検出を説明する図である。
【００５０】
図１２（ａ）は表面側画面全体を正転表示画面として表示した表示部を示し、図１２（ｂ）は正転表示画面と反転表示画面を表示した表示部を示している。そして、図１２（ｂ）の点Ａ１（正転表示画面の右下）をタッチ入力した場合は、点Ａ１は正転表示画面の入力エリア５２の座標である。従って、この座標は、図１２（ａ）の座標であれば、点Ａ２の位置になる。当然、操作入力処理部２３は、入力エリア５２の座標を、表示されている画面のどの位置にあるかの座標を求める。
【００５１】
このように、操作入力処理部２３は、画像が表示されている表示画面に対応させて位置座標を求めるので、操作入力位置とその指示内容を的確に検出でき、画像生成部２７は操作入力に合致した画像形成が可能となる。
【００５２】
＜第５実施形態＞
図１３は、第５実施形態におけるシースルー型両面表示装置の例を示す図である。
本実施形態は、両面にタッチパネルを備えた表示装置１０ｅにおいて、操作入力処理部２３は、好適な手段によってタッチ入力を有効とするエリアを１つのエリアのみに決定する。そして、画像生成部２７は、そのエリアに相当する画面表示と受け付けないエリアの画面表示を変える。
【００５３】
ここで、タッチ入力を有効とするエリアを決める好適な手段とは、例えば最初にタッチが検知されたエリアを有効エリアとする方法や、タッチエリア切り替え用の外部スイッチを行う方法、表示画面の外縁を一周なぞる等の特殊なタッチ操作を行う方法などが考えられる。
【００５４】
表示部２１の両面にタッチパネルを備えた表示装置１０ｅは、その構造上表示部２１の両面から同時にタッチ入力がなされる場合がある。上記手段を用いることで、タッチ入力を受け付けるエリアを絞ることができ、入力の競合を防止できる。また、タッチ入力が有効となったエリアは、図に示す例のように画面の外縁の線を太くしたり（図の正転表示画面１２を参照）や画面の外縁の色を変えたりなど、画面表示の一部を変えることで、タッチパネルの有効エリアを使用者に知らせる。
【００５５】
こうして使用者は、どのエリアが有効入力エリアかが分るため、使用者同士の画面操作の競合が起こらず、また操作もし易くなる。
【００５６】
＜第６実施形態＞
図１４は、第６実施形態におけるシースルー型両面表示装置の表示を示す図である。
図１４は、図１１に示すシースルー型両面表示装置の両面にタッチパネルを備えた表示装置であって、図１３と同様、好適な手段によってタッチ入力を有効とするエリアを１つのエリアのみに決定するものである。この表示装置１０ｆは、使用者にタッチが有効となったエリアを知らせる手段として、図３で示したサブ操作入力エリア３１を用いる。これは、有効入力エリアを示す棒状線３５を表示する。この図では正転表示画面１２のエリアの棒状線３５が表示されており、正転表示画面１２が入力有効エリアとなっていることを示している。
【００５７】
こうして使用者は、どのエリアが有効入力エリアかが分るため、使用者同士の画面操作の競合が起こらず、また操作もし易くなる。
【００５８】
＜第７実施形態＞
図１５は、第７実施形態におけるシースルー型両面表示装置の表示を示す図である。第７実施形態は、表示部２１の全面に表示されている正転表示画面１２の中に、小画面の反転表示画面１３を表示する。また、反転表示画面１３の中に、小画面の正転表示画面１２を表示するものでもよい。これまでに記載してきたような表示部２１の画面を分割して正転表示画面１２と反転表示画面１３を並列して表示する方式ではなく、図１５に示すように一方の表示画面の中に他方の表示画面を埋め込んで表示するものである。このような場合でも、シースルー型両面表示装置１０ｇの表裏両方から文字を読むことができる。
【００５９】
図１６〜１８は、図１５に示したシースルー型両面表示装置において、タッチパネルを用いて表示画像を操作する方法の一例である。
図１６は、正転表示された画面の任意の点においてピンチアウト操作を行うことで、その場所に反転表示画像が小画面としてピクチャーインピクチャー表示される図である。この場合の操作入力部２２は表示部２１の全面のタッチパネルである。小画面の位置と範囲は、手のピンチイン・ピンチアウトの操作位置と操作動作により、指定できる。
【００６０】
図１６（ａ）に示すように、表示部２１の全画面が正転表示画面１２である場合に、画面左上をユーザが手６０でピンチアウト操作を行うと、操作入力部（タッチパネル）２２がそれを検出して、操作信号を操作入力処理部２３に伝える。操作入力処理部２３は、どの位置でピンチアウト操作を行われたかを解析して、そのデータを画面配置部２６に送る。図１６（ｂ）に示すように、画面配置部２６は、その位置に反転表示画面１３を配置する。画像生成部２７はそれぞれの画面に表示する画像を生成し、表示制御部２５により表示部２１に表示する。
【００６１】
図１７は、ピクチャーインピクチャーで表示された小画面をピンチイン操作することで、小画面を消去する図である。図１７（ａ）に示すように、表示部２１の全画面が正転表示画面１２であり、正転表示画面１２内の左上側の反転表示画面１３に対して、ユーザが手６０でピンチイン操作を行うと、操作入力部（タッチパネル）２２がそれを検出して、操作信号を操作入力処理部２３に伝える。操作入力処理部２３は、どの位置でピンチイン操作が行われたかを解析して、そのデータを画面配置部２６に送る。図１６（ｂ）に示すように、画面配置部２６は、その位置に反転表示画面１３を閉じる。画像生成部２７は正転表示画面１２の画面に表示する画像を生成し、表示制御部２５により表示部２１に表示する。
【００６２】
また図１８は、ピクチャーインピクチャーで表示された小画面をさらにピンチアウト操作による様々の表示形態を示す図である。図１８（ａ）に示すように、表示部２１の全画面が正転表示画面１２であり、正転表示画面１２内の左上側の反転表示画面１３に対して、ユーザが手６０でピンチアウト操作を行うと、図１８（ｂ）に示すように、表示部２１の全画面が反転表示画面１３となる。更に図１８（ｃ）に示すように、ユーザが手６０で、表示部２１の左上をピンチアウト操作を行うと、図１８（ｄ）に示すように、そのピンチアウト操作の位置に正転表示画面１２を表示する。
【００６３】
こうして、ピクチャーインピクチャー表示によって正転表示、反転表示を行っても、対面した使用者がそれぞれ表裏両方から画像をみることができ、視認性、特に文字の可読性を向上させることができる。従って、一つの表示装置によって、複数の使用者が一度に表裏両面を利用できて効率的であり、更に使用者同士が相手の表示画像も確認できて対面しながらコミュニケーションを取ることもできる。
【００６４】
本発明によるシースルー型両面表示装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memorｙ）に蓄積され、その後、Ｆｌａｓｈ  ＲＯＭ（Read Onlｙ Memorｙ）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００６６】
以上、本発明について詳述してきたが、具体的な構成は実施形態に限られるものではなく、この発明の要旨を逸脱しない範囲の設計等も特許請求の範囲に含まれる。
【符号の説明】
【００６７】
１０    ：シースルー型両面表示装置
１１    ：表示部
１２    ：正転表示画面
１３    ：反転表示画面
１５，１６    ：使用者
２１    ：表示部
２２    ：操作入力部
２３    ：操作入力処理部
２４    ：画像処理部
２５    ：表示制御部
２６    ：画面配置部
２７    ：画像生成部
３１    ：サブ操作入力エリア
３２    ：ポインタ
３５    ：棒状線
４１    ：スイッチ
５１    ：タッチパネル
５２，５３    ：入力エリア
【図１】
2015194641.tif 000003
【図２】
2015194641.tif 000004
【図３】
2015194641.tif 000005
【図４】
2015194641.tif 000006
【図５】
2015194641.tif 000007
【図６】
2015194641.tif 000008
【図７】
2015194641.tif 000009
【図８】
2015194641.tif 000010
【図９】
2015194641.tif 000011
【図１０】
2015194641.tif 000012
【図１１】
2015194641.tif 000013
【図１２】
2015194641.tif 000014
【図１３】
2015194641.tif 000015
【図１４】
2015194641.tif 000016
【図１５】
2015194641.tif 000017
【図１６】
2015194641.tif 000018
【図１７】
2015194641.tif 000019
【図１８】
2015194641.tif 000020